(57)【特許請求の範囲】
【請求項１】
再生又は記録対象のディスクが内部に置かれる筐体と、
前記筐体における前記ディスクの回転面と交わる側面に形成されて、前記ディスクの回転により前記ディスクの円周の接線方向に放出される塵埃が進入する開口部と、
前記開口部の周縁部から前記開口部を覆い、かつ、前記側面とオーバラップし、前記筐体の外部から前記筐体の内部への塵埃の侵入を防ぐとともに、前記筐体の内部から前記開口部に進入する前記塵埃の移動を妨げない長さである壁部とを備えることを特徴とするディスクドライブ。
【請求項２】
前記側面に形成された前記開口部及び前記壁部は、複数備えられていることを特徴とする請求項１記載のディスクドライブ。
【請求項３】
前記開口部は、前記側面の前記回転面に平行な方向に並ぶ両端部のうちの、前記ディスクの回転方向からみて奥側となる方の端部に寄った位置に形成されることを特徴とする請求項１又は請求項２に記載のディスクドライブ。
【請求項４】
前記開口部は、前記回転面と交わる位置に形成されていることを特徴とする請求項１から請求項３のいずれか１項に記載のディスクドライブ。
【請求項５】
請求項１から請求項４のいずれか１項に記載のディスクドライブを備えることを特徴とするディスクドライブ装置。
【発明の詳細な説明】
【技術分野】
【０００１】  この発明は、ディスクの再生又は記録を行うディスクドライブに関するものである。
【背景技術】
【０００２】  ディスクの再生又は記録を行うディスクドライブは、カーオーディオ、ナビゲーション機器等の様々な電子機器に設けられている。ディスクドライブでは、光ピックアップによりディスクの再生又は記録が行われる。光ピックアップに塵埃が堆積すると、ディスクの再生不良、書き込み不良等が発生するため、ディスクドライブでは、気密性の高い構造が採られる。しかしこの場合、ディスクドライブ内部にひとたび塵埃が侵入すると、気密性が高いためにその塵埃を外部へ排出するのが難しくなる。ディスクドライブ内部に侵入した塵埃を外部へ排出するために、ディスクドライブに単に丸孔、角孔を設けると、気密性が低くなり、むしろその孔を介して塵埃が侵入しやすくなる。  気密性を保ちながら、かつ塵埃の排出を図った技術として、例えば、特許文献１には、ディスク装置の装置パネルに対向する側のカバー面内において、ディスクの回転方向側にある隅部側に寄せて排気孔となる開口部を設け、ディスクの回転により排気を行うようにした構成が開示されている。
【先行技術文献】
【特許文献】
【０００３】
【特許文献１】特開２００３―１５１２５９号公報
【発明の概要】
【発明が解決しようとする課題】
【０００４】  しかしながら、上記特許文献１に記載の内容は、排気孔に関しては、単純な排気孔を一箇所に設けただけ、あるいは単に複数の孔を設けてもよい旨の示唆があるにとどまる。従って、ディスクの回転により発生する塵埃の流れの特性を十分に考慮した、効率的な塵埃の排出ができているとは言い難い。また、上記特許文献１に記載の単純な孔としての排気孔では、当然その孔を介して塵埃が侵入しやすくなるため、同文献１には、その解決手段として、排気孔に風圧あるいは温度差に応じて変位する開閉部材を設ける構成も開示されている。しかし、部材の特性が適切でなければ、開閉部材は意図通りに機能せず、特性の調整が難しいという課題があった。【０００５】  この発明は、上記のような課題を解決するためになされたもので、内部の塵埃が排出され易く、かつ、外部から塵埃が侵入しにくいディスクドライブを得ることを目的とする。
【課題を解決するための手段】
【０００６】  この発明に係るディスクドライブは、再生又は記録対象のディスクが内部に置かれる筐体と、筐体におけるディスクの回転面と交わる側面に形成されて、ディスクの回転によりディスクの円周の接線方向に放出される塵埃が進入する開口部と、開口部の周縁部から延びて、開口部に進入する塵埃の移動を妨げない長さで側面とオーバラップする壁部とを備えることを特徴とするものである。
【発明の効果】
【０００７】
この発明に係るディスクドライブは、再生又は記録対象のディスクが内部に置かれる筐体と、筐体におけるディスクの回転面と交わる側面に形成されて、ディスクの回転によりディスクの円周の接線方向に放出される塵埃が進入する開口部と、開口部の周縁部から開口部を覆い、かつ、側面とオーバラップし、筐体の外部から筐体の内部への塵埃の侵入を防ぐとともに、筐体の内部から開口部に進入する塵埃の移動を妨げない長さで側面とオーバラップする壁部とを備えることを特徴とするものである。
【図面の簡単な説明】
【０００８】
【図１】この発明の実施の形態１に係るディスクドライブ装置の分解斜視図である。
【図２】この発明の実施の形態１に係るディスクドライブの断面図及び正面図である。
【図３】図２の一部を拡大して示す図である。
【図４】壁部の変形例を示す図である。
【発明を実施するための形態】
【０００９】  以下、この発明をより詳細に説明するために、この発明を実施するための形態について、添付の図面に従って説明する。実施の形態１．  図１に、この発明の実施の形態１に係るディスクドライブ装置１の分解斜視図を示す。ディスクドライブ装置１は、ディスクの再生又は記録を行うための光ピックアップ及びスピンドルモータ等を箱型の筐体２０内部に有するディスクドライブ２と、ディスクドライブ２の動作を制御して、ディスクの情報を読み出させたり、ディスクに情報を書き込ませたりする基板３ａ，３ｂを有する。ディスクドライブ２には、ディスクが挿入される開口部２０ａが形成されている。基板３ａと基板３ｂは、互いにフレキシブルケーブル４により接続され、それぞれ不図示の配線によりディスクドライブ２とも接続されている。ディスクドライブ装置１は、例えばカーオーディオ、ナビゲーション機器等の車載電子機器として使用される。
【００１０】  また、ディスクドライブ装置１は、ディスクドライブ２及び基板３ａ，３ｂを取り付けて固定するためのメカブラケット５、フロントシャーシ６、リアシャーシ７及びボトムシャーシ８を有する。特にフロントシャーシ６には、ディスクドライブ装置１全体を組み立てたときにディスクドライブ２の開口部２０ａと対面する位置に、ディスクが挿入される開口部６ａが形成されている。さらにディスクドライブ装置１は、装置最上面に位置するトップカバー９を有する。  ディスクドライブ装置１は、ユーザが開口部６ａからディスクを挿入すると、ディスクドライブ２の内部に設けられた不図示の送りローラによってディスクが運ばれて所定の位置にセットされる、いわゆるスロットイン方式のものである。
【００１１】  図２（ａ）は、ディスクドライブ２を、ディスク１０と平行な平面で切断した際の断面図である。ディスク１０は、再生又は記録対象のディスクとして、ディスクドライブ２の筐体２０内部に置かれている。図２（ｂ）は、ディスクドライブ２の正面図である。また、図３は、図２（ａ）のうちの部分Ａを拡大して示す図である。  図２中の方向Ｘ及び方向Ｙは、ディスク１０の回転面に平行な方向であり、方向Ｘは、ディスクドライブ２を正面から見た際の幅方向に相当し、方向Ｙは、奥行き方向に相当する。また、方向Ｚは、ディスク１０の回転軸に平行な方向であり、ディスクドライブ２を正面から見た際の高さ方向に相当する。
【００１２】  ディスク１０が回転すると、その遠心力により、ディスクドライブ２内部に侵入した塵埃は、ディスク１０の円周の各点における接線方向に放出される。図２（ａ）では、ディスク１０が紙面における時計回りに回転する場合に放出される塵埃の流れを、図中の各矢印で示している。これらの塵埃の流れは、ディスクドライブ２の筐体２０における各面のうちの、ディスク１０の回転面と交わる側面２０ｂに向かう。なお、ここで、ディスク１０の回転面とは、当該回転面を含む、仮想の平面を意味する。
【００１３】  筐体２０の側面２０ｂのうちの、ディスク１０が挿入される開口部２０ａが形成されている面以外の面には、開口部２０ｃが形成されている。開口部２０ｃでは、その周縁部の一部から、ディスク１０の回転面に略平行に延びる壁部２０ｄが、筐体２０の内側に折り曲げられるようにして形成されている。一端が開口部２０ｃの周縁部に位置する壁部２０ｄは、図３のようにその他端から長さａの部分が、筐体２０の側面２０ｂと接触せずにオーバラップしており、開口部２０ｃにラビリンス構造が形成されている。
【００１４】  壁部２０ｄが側面２０ｂとオーバラップする量である長さａは、図３に示すように、開口部２０ｃに進入する塵埃の移動を妨げない長さに設計される。開口部２０ｃの位置によって、開口部２０ｃに進入する塵埃の移動方向が側面２０ｂと成す角度θは異なるので、長さａも開口部２０ｃの位置によってそれぞれ異なる。  例えば、図３に示すように、ディスク１０の回転により放出される塵埃の移動方向Ｆ１は、側面２０ｂと角度θ１を成し、他の塵埃の移動方向Ｆ２は、側面２０ｂと角度θ２を成して、それぞれ別の開口部２０ｃに進入する。θ１＞θ２の場合、移動方向Ｆ１の塵埃が進入する開口部２０ｃに設けられたラビリンス構造のオーバラップ量である長さａ１は、移動方向Ｆ２の塵埃が進入する開口部２０ｃに設けられたラビリンス構造のオーバラップ量である長さａ２より短くなる。もし、移動方向Ｆ１の塵埃が進入する開口部２０ｃの周縁部から延びる壁部２０ｄの長さａ１を、長さａ２と同じにして長くしてしまうと、移動方向Ｆ１の塵埃の開口部２０ｃへの進入が妨げられてしまう。こうしたことが無いよう、開口部２０ｃに進入する塵埃の移動を妨げない長さだけ、壁部２０ｄと側面２０ｂとをオーバラップさせる。
【００１５】  このように、ディスク１０の回転により放出される塵埃の開口部２０ｃへの進入角度を考慮して、壁部２０ｄの側面２０ｂとのオーバラップ量が決められている。これにより、ディスクドライブ２内部に侵入している塵埃は、ディスク１０の回転によりディスク１０の接線方向に放出されて、スムーズにかつ効率的に外部へ排出される。また、壁部２０ｄにより開口部２０ｃにラビリンス構造を形成することで、塵埃が開口部２０ｃを介してディスクドライブ２内部に侵入しづらくなる。特に、ディスク１０の回転時は、当該ディスク１０の回転に伴い気流も発生し、開口部２０ｃではディスクドライブ２内部から外部へと向かう気流も通過するので、外部から開口部２０ｃを介して塵埃が侵入することはほとんどない。
【００１６】  開口部２０ｃ及び開口部２０ｃの周縁部の一部から延びる壁部２０ｄは、ダイカストにより筐体２０を製造すると同時に形成することができる。あるいは、板金を加工して製造された開口部２０ｃ付きの筐体２０と、射出成形して得た断面略Ｓ字の樹脂部品とを用いて、当該樹脂部品の一端を開口部２０ｃの周縁部にバーリングカシメ等にて固定することで、断面略Ｓ字の樹脂部品を壁部２０ｄとしてもよい。
【００１７】  なお、開口部２０ｃと壁部２０ｄとによりラビリンス構造を設ける位置及び個数は、図２（ａ）で示したものに限らない。筐体２０の側面２０ｂのどこかに１つあるだけでも、塵埃の排出とその部位からの塵埃の侵入防止は可能である。ただし、ディスク１０の回転により放出される塵埃が開口部２０ｃに対してほぼ直角に進入する場合は、ラビリンス構造とするのに十分な壁部２０ｄと側面２０ｂとのオーバラップ量を確保することができないので、そうした位置に開口部２０ｃ及び壁部２０ｄを形成するのは避けるほうが好ましい。例えば、図２の領域Ｃは、開口部２０ｃ及び壁部２０ｄの形成を避けるのが好ましい領域に当たる。
【００１８】  塵埃の排出と侵入防止をより確実に両立するには、ディスク１０の回転により放出されて開口部２０ｃに進入する塵埃の移動方向と側面２０ｂとが成す角度θが設定値以下となる位置に、開口部２０ｃ及び適切な長さａを持つ壁部２０ｄを形成するとよい。例えば、側面２０ｂは、図２におけるＸ方向又はＹ方向に両端部が並ぶ矩形形状の面であるが、その両端部のうちの、ディスク１０の回転方向からみて奥側となる方の端部に寄った位置に、開口部２０ｃ及び壁部２０ｄを形成するようにする。図２（ａ）の紙面右側の側面２０ｂであれば、部分Ａが位置する端部に寄った位置に、開口部２０ｃ及び壁部２０ｄを形成する。
【００１９】  塵埃をより多く排出させるには、１つの開口部２０ｃと１つの壁部２０ｄとからなるラビリンス構造を、筐体２０の側面２０ｂに複数設けるとよい。このとき、図２におけるＸ方向又はＹ方向に複数並べて設けてもよいし、Ｚ方向に複数並べて設けてもよい。なお、Ｚ方向においては、ディスク１０の回転面と交わる位置に開口部２０ｃを設けると、塵埃の排出効率が特に高くなる。
【００２０】  また、図４に示すように、壁部２０ｄが、筐体２０の外側に折り曲げられるようにして形成されていてもよい。図４は、図３に示す位置に設けた開口部２０ｃに対して、外側に折り曲げられるようにして形成された壁部２０ｄを示したものである。このようにしても、図３に示すラビリンス構造と同等の効果を得ることができる。
【００２１】  上記では、ディスクドライブ２がスロットイン方式のものであるとして説明したが、トレイ方式のディスクドライブ２に対して、上記のようなラビリンス構造を適用してもよい。トレイ方式は、ディスク１０を乗せるトレイが、ディスクドライブ２の筐体２０からスライドして出たり入ったりするものである。トレイ方式のディスクドライブ２の場合も、その筐体２０の側面２０ｂに、スロットイン方式と同様のラビリンス構造を形成する。
【００２２】  以上のように、この実施の形態１に係るディスクドライブ装置１によれば、開口部２０ｃの周縁部から延びる壁部２０ｄは、ディスク１０の回転により放出されて開口部２０ｃに進入する塵埃の移動を妨げない長さで側面２０ｂとオーバラップして、ラビリンス構造を形成する。これにより、開口部２０ｃを介して内部の塵埃が排出され易くなり、かつ、開口部２０ｃを形成しても外部から塵埃が侵入しにくくなる。
【００２３】  また、開口部２０ｃは、側面２０ｂのディスク１０の回転面に平行な方向に並ぶ両端部のうちの、ディスク１０の回転方向からみて奥側となる方の端部に寄った位置に形成されることとした。従って、塵埃の排出と侵入防止をより確実に実現できる。
【００２４】  また、開口部２０ｃ及び壁部２０ｄは、複数備えられていることとした。従って、塵埃の排出が促進される。
【００２５】  また、開口部２０ｃは、ディスク１０の回転面と交わる位置に形成されていることとした。従って、塵埃の排出が促進される。
【００２６】  なお、本願発明はその発明の範囲内において、実施の形態の任意の構成要素の変形、もしくは実施の形態の任意の構成要素の省略が可能である。
【産業上の利用可能性】
【００２７】  以上のように、この発明に係るディスクドライブは、内部の塵埃が排出され易く、かつ、外部から内部に塵埃が侵入しにくいものであるため、カーオーディオ等のディスクの再生又は記録を行う構成を必要とする電子機器に組み込んで用いるのに適している。
【符号の説明】
【００２８】  １  ディスクドライブ装置、２  ディスクドライブ、３ａ，３ｂ  基板、４  フレキシブルケーブル、５  メカブラケット、６  フロントシャーシ、６ａ  開口部、７  リアシャーシ、８  ボトムシャーシ、９  トップカバー、１０  ディスク、２０  筐体、２０ａ  開口部、２０ｂ  側面、２０ｃ  開口部、２０ｄ  壁部。
【図１】
0006456493.tif 000002
【図２】
0006456493.tif 000003
【図３】
0006456493.tif 000004
【図４】
0006456493.tif 000005